(57)【特許請求の範囲】
【請求項１】
物体側より像側へ順に、負の屈折力の第１レンズ群と、正の屈折力の第２レンズ群と、正の屈折力の第３レンズ群より構成され、ズーミングに際して各レンズ群の間隔が変化するズームレンズであって、前記第１レンズ群は２枚のレンズからなり、前記第１レンズ群の焦点距離をｆ１、望遠端における全系の焦点距離をｆｔ、前記第１レンズ群の最も物体側のレンズ面と最も像側のレンズ面の曲率半径を各々Ｒ１ｆ、Ｒ２ｒ、前記第１レンズ群の物体側と像側のレンズの焦点距離を各々ｆＧ１、ｆＧ２、前記第１レンズ群の物体側のレンズの像側のレンズ面の曲率半径をＲ１ｒ、前記第１レンズ群の像側のレンズの物体側のレンズ面の曲率半径をＲ２ｆとするとき、
−０．６０＜ｆ１／ｆｔ＜−０．２０
−０．３９＜（Ｒ２ｒ−Ｒ１ｆ）／（Ｒ２ｒ＋Ｒ１ｆ）＜０．３６
−２．７＜ｆＧ２／ｆＧ１＜−２．４
−０．３３＜（Ｒ２ｆ−Ｒ１ｒ）／（Ｒ２ｆ＋Ｒ１ｒ）＜０．３３
なる条件式を満足することを特徴とするズームレンズ。
【請求項２】
前記第１レンズ群の物体側と像側のレンズの材料のｄ線に対する屈折率を各々Ｎｄ１、Ｎｄ２とするとき、
１．８８０＜（Ｎｄ１＋Ｎｄ２）／２＜２．５００
なる条件式を満足することを特徴とする請求項１に記載のズームレンズ。
【請求項３】
前記第１レンズ群の最も物体側のレンズ面は、レンズ中心部からレンズ周辺部に向かって正の屈折力が小さくなる非球面形状であることを特徴とする請求項１または２に記載のズームレンズ。
【請求項４】
前記第２レンズ群は、３枚のレンズからなることを特徴とする請求項１乃至３のいずれか１項に記載のズームレンズ。
【請求項５】
前記第２レンズ群を光軸と垂直方向の成分を持つように移動させて、結像位置を光軸と垂直方向に移動させることを特徴とする請求項１乃至４のいずれか１項に記載のズームレンズ。
【請求項６】
請求項１乃至５のいずれか１項に記載のズームレンズと、該ズームレンズによって形成された像を受光する撮像素子を有することを特徴とする撮像装置。
【請求項７】
広角端での有効像円径が望遠端での有効像円径よりも小さいことを特徴とする請求項６に記載の撮像装置。
【発明の詳細な説明】
【技術分野】
【０００１】
本発明はズームレンズに関し、例えばデジタルスチルカメラ、ビデオカメラ、フィルム用カメラ、ＴＶカメラ、監視用カメラ等の撮像装置に好適なものである。
【背景技術】
【０００２】
最近、固体撮像素子を用いたビデオカメラ、デジタルスチルカメラ等の撮像装置（カメラ）は、高機能化及び小型化されている。そして撮像装置の高機能化及び小型化にともない、それに用いる光学系には広画角、高ズーム比で、全系が小型のズームレンズであることが求められている。広画角、高ズーム比で全系が比較的小型のズームレンズとして、負の屈折力のレンズ群が先行する（最も物体側に位置する）ネガティブリード型のズームレンズが知られている。
ネガティブリード型のズームレンズとして、物体側より像側へ順に、負の屈折力の第１レンズ群、正の屈折力の第２レンズ群、および正の屈折力の第３レンズ群より成る３群ズームレンズが知られている。このタイプの３群ズームレンズにおいて負の屈折力の第１レンズ群を負レンズと正レンズの２つのレンズより構成した小型のズームレンズが知られている（特許文献１〜３）。
【先行技術文献】
【特許文献】
【０００３】
【特許文献１】特開２００６−０１１０９６号公報
【特許文献２】特開２００１−２９６４７５号公報
【特許文献３】特開２００７−１４０３５９号公報
【発明の概要】
【発明が解決しようとする課題】
【０００４】
前述した如く、近年ビデオカメラやデジタルカメラ等に用いるズームレンズには、広範囲の被写体が容易に得られるよう広画角，高ズーム比で、しかも全系が小型であることが強く要望されている。前述したネガティブリード型の３群ズームレンズにおいて例えば全系の小型化及び高ズーム比化を図るにはズームレンズを構成する各レンズ群のレンズ枚数を少なくし、かつ各レンズ群の屈折力を強めるのが有効である。しかしながら高ズーム比化を図るため、各レンズ群の屈折力を単に強めると、ズーミングに伴う収差変動が増大し、全ズーム範囲において高い光学性能を得るのが困難になってくる。また収差補正を良好に行いつつ、広画角化を図るには、各レンズ群のレンズ枚数を増加させれば良いが、そうすると全系が大型化してくる。
【０００５】
このため、ネガティブリード型の３群ズームレンズにおいて、全系の小型化、広画角化かつ高ズーム比化を達成するためには、各レンズ群のレンズ構成や各レンズ群の屈折力配置を適切に設定することが重要になってくる。特に負の屈折力の第１レンズ群のレンズ構成や屈折力は重要であり、これらの要素を適切に設定しないと全系の小型化，広画角化そして高ズーム比化を図りつつ、高い光学性能を得るのが大変困難になってくる。
【０００６】
本発明は、レンズ系全体が小型で、広画角，高ズーム比で高い光学性能が容易に得られるズームレンズ及びそれを有する撮像装置の提供を目的とする。
【課題を解決するための手段】
【０００７】
本発明のズームレンズは、物体側より像側へ順に、負の屈折力の第１レンズ群と、正の屈折力の第２レンズ群と、正の屈折力の第３レンズ群より構成され、ズーミングに際して各レンズ群の間隔が変化するズームレンズであって、前記第１レンズ群は２枚のレンズからなり、前記第１レンズ群の焦点距離をｆ１、望遠端における全系の焦点距離をｆｔ、前記第１レンズ群の最も物体側のレンズ面と最も像側のレンズ面の曲率半径を各々Ｒ１ｆ、Ｒ２ｒ、前記第１レンズ群の物体側と像側のレンズの焦点距離を各々ｆＧ１、ｆＧ２、前記第１レンズ群の物体側のレンズの像側のレンズ面の曲率半径をＲ１ｒ、前記第１レンズ群の像側のレンズの物体側のレンズ面の曲率半径をＲ２ｆとするとき、
−０．６０＜ｆ１／ｆｔ＜−０．２０
−０．３９＜（Ｒ２ｒ−Ｒ１ｆ）／（Ｒ２ｒ＋Ｒ１ｆ）＜０．３６
−２．７＜ｆＧ２／ｆＧ１＜−２．４
−０．３３＜（Ｒ２ｆ−Ｒ１ｒ）／（Ｒ２ｆ＋Ｒ１ｒ）＜０．３３
なる条件式を満足することを特徴としている。
【発明の効果】
【０００８】
本発明によれば、レンズ系全体が小型で、しかも広画角，高ズーム比で高い光学性能のズームレンズが容易に得られる。
【図面の簡単な説明】
【０００９】
【図１】実施例１のズームレンズの広角端におけるレンズ断面図
【図２】実施例１のズームレンズの（Ａ）広角端での収差図、（Ｂ）望遠端の収差図
【図３】実施例２のズームレンズの広角端におけるレンズ断面図
【図４】実施例２のズームレンズの（Ａ）広角端での収差図、（Ｂ）望遠端の収差図
【図５】実施例３のズームレンズの広角端におけるレンズ断面図
【図６】実施例３のズームレンズの（Ａ）広角端での収差図、（Ｂ）望遠端の収差図
【図７】実施例４のズームレンズの広角端におけるレンズ断面図
【図８】実施例４のズームレンズの（Ａ）広角端での収差図、（Ｂ）望遠端の収差図
【図９】本発明の撮像装置の要部概略図
【発明を実施するための形態】
【００１０】
本発明のズームレンズは、物体側より像側へ順に、負の屈折力の第１レンズ群、正の屈折力の第２レンズ群、正の屈折力の第３レンズ群を有している。ズーミングに際しては各レンズ群の間隔が変化するように第１、第２レンズ群が独立に移動、または各レンズ群が独立に移動する。フォーカシングは第３レンズ群を移動させて行っている。本発明のズームレンズでは、前述した３群ズームレンズの他に第１レンズ群の物体側又は第３レンズ群の像側の少なくとも一方に屈折力のあるレンズ群が配置されていても良い。
【００１１】
図１は本発明の実施例１の広角端（短焦点距離端）におけるレンズ断面図である。図２（Ａ）、（Ｂ）は本発明の実施例１の広角端、望遠端（長焦点距離端）における収差図である。実施例１はズーム比３．９０、開口比２．８８〜６．１０程度のズームレンズである。図３は本発明の実施例２の広角端におけるレンズ断面図である。図４（Ａ）、（Ｂ）は本発明の実施例２の広角端、望遠端における収差図である。実施例２はズーム比３．９１、開口比２．８８〜６．０７程度のズームレンズである。図５は本発明の実施例３の広角端におけるレンズ断面図である。図６（Ａ）、（Ｂ）は本発明の実施例３の広角端、望遠端における収差図である。実施例３はズーム比３．９３、開口比２．８８〜６．１７程度のズームレンズである。図７は本発明の実施例４の広角端におけるレンズ断面図である。図８（Ａ）、（Ｂ）は本発明の実施例４の広角端、望遠端における収差図である。実施例４はズーム比３．８３、開口比２．８７〜６．１０程度のズームレンズである。図９は本発明のズームレンズを備えるデジタルスチルカメラ（撮像装置）の要部概略図である。各実施例のズームレンズは撮像装置に用いられる撮影レンズ系であり、レンズ断面図において、左方が物体側（前方）で、右方が像側（後方）である。尚、各実施例のズームレンズをプロジェクター等の光学機器に用いるときは、左方がスクリーン、右方が被投影画像となる。
【００１２】
レンズ断面図において、Ｌ１は負の屈折力（光学的パワー＝焦点距離の逆数）の第１レンズ群、Ｌ２は正の屈折力の第２レンズ群、Ｌ３は正の屈折力の第３レンズ群である。ＳＰは開放Ｆナンバー（Ｆｎｏ）光束を決定（制限）する開口絞りの作用をするＦナンバー決定部材（以下「開口絞り」ともいう。）である。ＳＳＰはフレアーカット絞りである。Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際には像を受光するＣＣＤセンサやＣＭＯＳセンサ等の固体撮像素子（光電変換素子）（撮像素子）の撮像面が置かれる。収差図のうち、球面収差図においては、ｄ線及びｇ線を示している。ＦｎｏはＦナンバーである。非点収差図において、ΔＭ、ΔＳはメリディオナル像面、サジタル像面である。倍率色収差はｇ線によって表している。ωは半画角である。尚、以下の各実施例において広角端と望遠端は変倍用レンズ群（第２レンズ群Ｌ２）が機構上、光軸上移動可能な範囲の両端に位置したときのズーム位置をいう。レンズ断面図において、矢印は広角端から望遠端へのズーミングに際しての各レンズ群の移動軌跡又はフォーカスの際の移動方向を示している。
【００１３】
図１、図３の実施例１、２では広角端から望遠端へのズーミングに際して、第１レンズ群Ｌ１が像側に凸の軌跡で移動、第２レンズ群Ｌ２が物体側に単調に移動している。第３レンズ群Ｌ３はズーミングのためには不動である。実施例１、２のズームレンズは、第２レンズ群Ｌ２の移動により主な変倍を行っている。第１レンズ群Ｌ１の像側への凸状の軌跡の移動によって変倍に伴う像面変動を補正している。このとき広角端に比べて望遠端において第１レンズ群Ｌ１と第２レンズ群Ｌ２との間隔が小さくなるように第１、第２レンズ群が移動している。無限遠物体から近距離物体へのフォーカシングは第３レンズ群Ｌ３を物体側へ移動させて行っている。図５，図７の実施例３，４のズームレンズでは、広角端から望遠端のズーム位置へのズーミングに際して、第１レンズ群Ｌ１が像側に凸状の軌跡の一部を描いて略往復移動して、変倍に伴う像面変動を補正している。第２レンズ群Ｌ２が物体側に単調に移動して主たる変倍を行っている。第３レンズ群Ｌ３は物体側へ単調に移動または像側に凸状の軌跡の一部を描いて移動している。
【００１４】
このとき広角端から望遠端へのズーミングに際して第１レンズ群Ｌ１と第２レンズ群Ｌ２との間隔が小さく、第２レンズ群Ｌ２と第３レンズ群Ｌ３との間隔が大きくなるように各レンズ群が移動している。また、第３レンズ群Ｌ３を光軸上移動させてフォーカシングを行うリアーフォーカス方式を採用している。第３レンズ群Ｌ３に関する実線の曲線３ａと点線の曲線３ｂは、各々無限遠物体と近距離物体にフォーカスしているときの変倍に伴う像面変動を補正するための移動軌跡である。又、望遠端において無限遠物体から近距離物体へフォーカスを行う場合には、矢印３ｃに示すように第３レンズ群Ｌ３を前方（物体側）に繰り出すことで行っている。尚、各実施例において第１レンズ群Ｌ１はフォーカスの為には光軸方向に不動であるが、収差補正上必要に応じて移動させてもよい。
【００１５】
各実施例では、第２レンズ群Ｌ２全体を光軸に対して垂直方向の成分を持つように動かすことで、ズームレンズに振動が伝わった際の像のブレを補正している。即ち被写体像（結像位置）を光軸に対し垂直方向に移動させている。尚、このとき第２レンズ群Ｌ２全体だけでなく第２レンズ群Ｌ２の一部のレンズ群を変位させて像のブレを補正するようにしても良い。各実施例のズームレンズは、広画角・高ズーム比（高変倍比）でありながらレンズ全長を短くするため、物体側から像側へ順に、負の屈折力の第１レンズ群と、正の屈折力の第２レンズ群と、正の屈折力の第３レンズ群からなる構成としている。
【００１６】
ここでレンズ全長とは第１レンズ面から像面までの距離である。そして各レンズ群の間隔を変化させてズーミングを行う。第１レンズ群は２枚のレンズから構成して、球面収差や、像面湾曲を低減しつつも、最小のレンズ枚数としてレンズ全長を短くしている。第１レンズ群Ｌ１の焦点距離を、全系の望遠端における焦点距離に対して比較的、短く設定している。これにより、第１レンズ群Ｌ１と第２レンズ群Ｌ２の間隔を短縮し、各レンズ群の広角端から望遠端への変倍時（ズーミング時）の移動量を短縮し、前玉有効径を小型にしている。また、第１レンズ群Ｌ１の焦点距離の短縮に伴い、第１レンズ群Ｌ１内の負レンズの焦点距離を短くする必要がある。しかしながら、負レンズの焦点距離を短くすると、望遠端において球面収差と像面湾曲の双方を補正することが困難となる。そうすると第１レンズ群Ｌ１を２枚のレンズで構成することが難しくなる。
【００１７】
そこで各実施例では、第１レンズ群Ｌ１の最も物体側のレンズ面の曲率半径が、最も像側のレンズ面の曲率半径に、近い形状とした。これにより、最も物体側のレンズ面で像面湾曲を良好に補正しつつ、球面収差も良好に保っている。具体的には、各実施例において、第１レンズ群Ｌ１の最も物体側のレンズ面と、最も像側のレンズ面の曲率半径を各々Ｒ１ｆ、Ｒ２ｒとする。第１レンズ群Ｌ１の焦点距離をｆ１、望遠端における全系の焦点距離をｆｔとする。このとき、
−０．６０＜ｆ１／ｆｔ＜−０．２０‥‥‥（１）
−０．３９＜（Ｒ２ｒ−Ｒ１ｆ）／（Ｒ２ｒ＋Ｒ１ｆ）＜０．３６ ‥‥‥（２）
なる条件を満足するようにしている。
【００１８】
条件式（１）は、望遠端における焦点距離に対する第１レンズ群Ｌ１の焦点距離の好ましい範囲を規定するものである。条件式（１）の下限を下回ると、第１レンズ群Ｌ１の負の焦点距離が長くなり過ぎる。このため、広画角や高ズーム比を実現するためには、ズーミングに際して各レンズ群の移動距離を長くとる必要があり、レンズ系が大型化してしまう。条件式（１）の上限を上回ると、第１レンズ群Ｌ１の負の焦点距離が短くなり過ぎる。このため、第１レンズ群Ｌ１内における負のペッツバール和が大きくなり、像面湾曲が増大し、これを補正するのが困難になってくる。条件式（２）は、第１レンズ群Ｌ１を構成するレンズの形状を規定するものである。条件式（２）の下限を下回ると、第１レンズ群Ｌ１の最も物体側のレンズ面の曲率半径が、最も像側のレンズ面の曲率半径に対して大きくなりすぎ、望遠端において負の球面収差が増大し、これを補正するのが困難になる。条件式（２）の上限を上回ると、第１レンズ群Ｌ１の最も物体側のレンズ面の曲率半径が、最も像側のレンズ面の曲率半径よりも小さくなりすぎ、正の像面湾曲が増大し、これを補正するのが困難になる。
【００１９】
さらに好ましくは、条件式（１）、（２）の範囲を、
−０．６０＜ｆ１／ｆｔ＜−０．５０    ‥‥‥（１ａ）
−０．３０＜（Ｒ２ｒ−Ｒ１ｆ）／（Ｒ２ｒ＋Ｒ１ｆ）＜０．００  ‥‥‥（２ａ）
とするのが良い。各実施例では以上のように各レンズ群を構成することによって、レンズ系全体を小型化し、簡易なレンズ構成にもかかわらず、広画角，高ズーム比で高い光学性能を得ている。尚、各実施例のズームレンズにおいて、更に良好なる光学性能を得るため、又はレンズ系全体の小型化を図るために、次の構成のうちの１つを満足するのが良い。これによれば各構成に相当する効果を得ることができる。
【００２０】
第１レンズ群Ｌ１の物体側と像側のレンズＧ１１、Ｇ１２の焦点距離を各々ｆＧ１、ｆＧ２とする。第１レンズ群Ｌ１の物体側のレンズＧ１１の像側のレンズ面の曲率半径をＲ１ｒ、第１レンズ群Ｌ１の像側のレンズＧ２の物体側のレンズ面の曲率半径をＲ２ｆとする。第１レンズ群Ｌ１の物体側と像側のレンズＧ１１、Ｇ１２の材料のｄ線に対する屈折率を各々Ｎｄ１、Ｎｄ２とする。このとき、
−２．７＜ｆＧ２／ｆＧ１＜−２．４                            ‥‥‥（３）
−０．３３＜（Ｒ２ｆ−Ｒ１ｒ）／（Ｒ２ｆ＋Ｒ１ｒ）＜０．３３  ‥‥‥（４）
１．８８０＜（Ｎｄ１＋Ｎｄ２）／２＜２．５００                ‥‥‥（５）
なる条件のうち１以上を満足している。
【００２１】
条件式（３）の下限を下回ると、第１レンズ群Ｌ１の物体側の負レンズＧ１１の焦点距離ｆＧ１に対して、第１レンズ群Ｌ１の像側の正レンズＧ１２の焦点距離ｆＧ２が長くなる。この結果、望遠端において負の球面収差が増大し、これを補正するのが困難となる。条件式（３）の上限を上回ると、第１レンズ群Ｌ１の物体側の負レンズＧ１１の焦点距離ｆＧ１に対して、第１レンズ群Ｌ１の像側の正レンズＧ１２の焦点距離ｆＧ２が短くなる。この結果、正の像面湾曲が増大し、これを補正するのが困難になる。さらに好ましくは、条件式（３）の数値範囲を、
−２．７＜ｆＧ２／ｆＧ１＜−２．６  ‥‥‥（３ａ）
とするのが良い。
【００２２】
条件式（４）は第１レンズ群Ｌ１を構成する２枚のレンズＧ１１、Ｇ１２で形成される空気レンズの形状を規定している。条件式（４）の下限を下回ると、該空気レンズの像側のレンズ面の曲率半径Ｒ２ｆが、物体側のレンズ面の曲率半径Ｒ１ｒよりも大きくなりすぎ、正の像面湾曲が増大し、これを補正するのが困難になる。条件式（４）の上限を上回ると、該空気レンズの像側のレンズ面の曲率半径Ｒ２ｆが、物体側のレンズ面の曲率半径Ｒ１ｆよりも小さくなりすぎ、負の球面収差が増大し、これを補正するのが困難となる。さらに好ましくは、条件式（４）の数値範囲を、
０．００＜（Ｒ２ｆ−Ｒ１ｒ）／（Ｒ２ｆ＋Ｒ１ｒ）＜０．２３  ‥‥‥（４ａ）
とするのが良い。
【００２３】
条件式（５）は、第１レンズ群Ｌ１の物体側のレンズＧ１１の材料のｄ線に対する屈折率と像側のレンズＧ１２のｄ線に対する屈折率Ｎｄ２を規定している。条件式（５）を満足すると、第１レンズ群Ｌ１の焦点距離を短くしても各レンズ面の曲率半径を大きくできるので、球面収差やコマ収差等の補正が容易になる。更に好ましくは条件式（５）の数値範囲を次の如く設定するのが良い。
【００２４】
１．８８５＜（Ｎｄ１＋Ｎｄ２）／２＜２．０００ ‥‥‥（５ａ）
各実施例によれば、以上のように構成することによって、広画角かつ３．５倍以上の高ズーム比を有する３群ズームレンズを、少ないレンズ枚数でも良好な光学性能を有するように構成することができる。各実施例において更に好ましくは、第１レンズ群Ｌ１の最も物体側のレンズ面は、レンズ中心部からレンズ周辺部にかけて正の屈折力が弱まる非球面形状であるのが好ましい。これによれば像高の高い位置で正の像面湾曲を効果的に抑制できる。第２レンズ群Ｌ２は３枚のレンズから構成するのが良い。これによれば、高い変倍比（ズーム比）を実現するために第２レンズ群Ｌ２の正の焦点距離が短くなったり、ズーミングに伴う移動量が増えた場合にも、軸上色収差をズーム全域で良好に補正することが容易になる。４枚以上のレンズで構成するとレンズ全長が増大するので良くない。
【００２５】
次に各実施例のレンズ構成について説明する。各実施例においては、負の屈折力の第１レンズ群Ｌ１を、物体側から像側へ順に、物体側に凸面を向けたメニスカス形状の負レンズＧ１１と物体側に凸面を向けたメニスカス形状の正レンズＧ１２の２枚のレンズで構成している。また、メニスカス形状の負レンズＧ１１は、物体側のレンズ面と像側のレンズ面とが、共にレンズ中心からレンズ周辺に向かってそれぞれ正と負の屈折力が弱まる非球面形状より成っている。第２レンズ群Ｌ２は、物体側から像側へ順に、物体側に凸面を向けた正レンズＧ２１と、像面側に凹面を向けた負レンズＧ２２とを接合した接合レンズと、正レンズＧ２３とを有している。正レンズＧ２１の物体側の面を非球面形状とすることにより、球面収差とコマ収差を良好に補正している。第３レンズ群Ｌ３は、１枚の正レンズＧ３１で構成している。以上のように、各実施例のズームレンズでは、各レンズ群の構成、特に第１レンズ群の各レンズのレンズ形状、各レンズ群のパワー配置等を適切に設定している。これにより、広画角であり、倍率（ズーム比）３〜４倍程度まで対応し、コンパクトで高い光学性能を得ている。
【００２６】
次に本発明のズームレンズを撮影光学系として用いたデジタルスチルカメラ（撮像装置）（光学機器）の実施例を図９を用いて説明する。図９において、２０はカメラ本体、２１は本発明のズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は撮像素子２２によって光電変換された被写体像に対応する情報を記録するメモリである。２４は液晶ディスプレイパネル等によって構成され、固体撮像素子２２上に形成された被写体像を観察するためのファインダーである。又、広角側において発生しやすい樽型の歪曲収差を、画像処理によって画像を引き伸ばして補正するためには、広角端における有効像円径（イメージサークルの直径）を、望遠端における有効像円径に比べて、小さくすることが好ましい。このように本発明のズームレンズをデジタルスチルカメラ等の撮像装置に適用することにより、小型で高い光学性能を有する撮像装置を実現している。
【００２７】
次に、本発明の数値実施例を示す。各数値実施例において、ｉは物体側からの面の順序を示し、ｒｉはレンズ面の曲率半径である。ｄｉは第ｉ面と第ｉ＋１面との間のレンズ肉厚および空気間隔である。ｎｄｉ、νｄｉはそれぞれｄ線に対する屈折率、アッベ数を示す。＊は非球面であることを示す。ｒ５は開口絞りＳＰであり、またｒ１１はフレアーカット絞りＳＳＰである。また、最も像側の２つの面はフェースプレート等のガラス材である。数値実施例では４群として示している。また、ｋ、Ａ４、Ａ６、Ａ８、Ａ１０は非球面係数である。非球面形状は光軸からの高さｈの位置での光軸方向の変位を面頂点を基準にしてｘとするとき
ｘ＝（ｈ2／Ｒ）／［１＋｛１−（１＋ｋ）（ｈ／Ｒ）2｝1/2］＋Ａ４・ｈ4＋Ａ６・ｈ6＋Ａ８・ｈ8＋Ａ１０・ｈ10
で表される。
【００２８】
但しＲは近軸曲率半径である。「ｅ−Ｘ」は「１０-X」を意味している。又、前述の各条件式と各数値実施例との関係を表−１に示す。各数値実施例においてｄ５の値が負となっているが、これが物体側から順に、Ｆナンバー決定部材、第２レンズ群Ｌ２の第２１レンズＧ２１と数えた為である。具体的な構成としては、Ｆナンバー決定部材（開口絞り）ＳＰが第２レンズ群Ｌ２の物体側の第２１レンズＧ２１のレンズ面の物体側頂点よりも絶対値ｄ５だけ像側に位置していることを示している。
【００２９】
数値実施例１
単位 mm
面データ
面番号       r        d      nd         νd
1*        18.709    1.10   1.84954    40.1           
2*         4.538    1.77                             
3          7.172    1.90   1.92286    18.9           
4         10.392  (可変)                             
5(絞り)    ∞      -0.30                             
6*         4.015    1.70   1.84954    40.1           
7         14.802    0.50   1.80809    22.8           
8          3.345    0.68                             
9          9.704    1.05   1.77250    49.6           
10        -25.626    0.10                             
11          ∞     (可変)                             
12         36.473    1.40   1.60311    60.6           
13        -24.994    2.97 
14          ∞       1.00   1.51633    64.1           
15          ∞       0.50                             
像面        ∞   
非球面データ
第1面
K =-6.25496e+001  A 4=-3.26330e-004  A 6= 1.21318e-005  A 8=-1.15618e-007  A10=
2.90934e-010  
第2面
K =-2.98511e+000  A 4= 1.55377e-003  A 6=-1.45275e-005  A 8= 4.52973e-007  A10=
1.66565e-008  
第6面
K =-8.99768e-001  A 4= 1.19553e-003  A 6= 1.35242e-005  A 8= 4.22012e-006  A10=
-1.90053e-007  
各種データ
ズーム比      3.90 
焦点距離       5.19    12.73    20.28     8.96    16.51  
Fナンバー      2.88     4.47     6.10     3.67     5.29  
画角          33.21    16.92    10.82    21.33    13.21  
像高           3.40     3.88     3.88     3.50     3.88  
レンズ全長    32.62    29.99    34.85    29.19    32.13  
BF             4.13     4.13     4.13     4.13     4.13  
d 4           13.24     3.17     0.59     6.09     1.58  
d11            5.34    12.79    20.23     9.06    16.51  
ズームレンズ群データ
群  始面    焦点距離  
1    1     -11.55  
2    5       9.34  
3   12      24.80  
4   14       ∞    
【００３０】
数値実施例２
単位 mm
面データ
面番号       r        d      nd         νd
1*        18.824    1.00   1.84954    40.1           
2*         4.576    1.67                             
3          7.068    2.00   1.92286    18.9           
4         10.170  (可変)                             
5(絞り)    ∞      -0.30                             
6*         4.010    1.70   1.84954    40.1           
7         14.951    0.50   1.80809    22.8           
8          3.353    0.68                             
9          9.515    1.00   1.77250    49.6           
10        -28.740    0.10                             
11          ∞     (可変)                             
12         35.056    1.30   1.60311    60.6           
13        -26.345    3.85 
14          ∞       1.00   1.51633    64.1           
15          ∞       0.50                             
像面        ∞   
非球面データ
第1面
K =-6.25496e+001  A 4=-3.26308e-004  A 6= 1.21319e-005  A 8=-1.15617e-007  A10=
2.90934e-010  
第2面
K =-2.98511e+000  A 4= 1.55377e-003  A 6=-1.45275e-005  A 8= 4.52972e-007  A10=
1.66565e-008  
第6面
K =-8.99768e-001  A 4= 1.19555e-003  A 6= 1.35242e-005  A 8= 4.22012e-006  A10=
-1.90053e-007  
各種データ
ズーム比      3.91 
焦点距離       5.13    12.58    20.04     8.86    16.31  
Fナンバー      2.88     4.48     6.07     3.68     5.27  
画角          33.54    17.11    10.94    21.56    13.36  
像高           3.40     3.88     3.88     3.50     3.88  
レンズ全長    31.97    29.73    34.84    28.77    32.00  
BF             5.02     5.01     5.01     5.01     5.01  
d 4           13.10     3.21     0.68     6.08     1.66  
d11            4.21    11.86    19.50     8.03    15.68  
ズームレンズ群データ
群  始面    焦点距離  
1    1     -11.62  
2    5       9.36  
3   12      25.14  
4   14       ∞  
【００３１】
数値実施例３
単位 mm
面データ
面番号       r        d      nd         νd
1*        14.025    1.00   1.84954    40.1           
2*         4.307    1.50                             
3          8.432    1.65   1.92286    18.9           
4         13.747  (可変)                             
5(絞り)    ∞      -0.30                             
6*         4.094    1.70   1.84954    40.1           
7         14.360    0.50   1.80809    22.8           
8          3.553    0.80                             
9         12.687    1.10   1.77250    49.6           
10        -22.698    0.10                             
11          ∞     (可変)                             
12         25.054    1.30   1.60311    60.6           
13        166.191  (可変)                             
14          ∞       1.00   1.51633    64.1           
15          ∞       0.50                             
像面        ∞   
非球面データ
第1面
K =-3.96866e+001  A 4=-8.54999e-004  A 6= 1.02162e-005  A 8=-6.66055e-008  A10= 2.90934e-010  
第2面
K =-3.56714e+000  A 4= 1.18808e-003  A 6=-5.20546e-005  A 8= 5.33892e-007  A10= 1.66565e-008  
第6面
K =-9.55343e-001  A 4= 1.14490e-003  A 6= 1.05381e-005  A 8= 3.96259e-006  A10=-1.90053e-007  
各種データ
ズーム比      3.93 
焦点距離       6.05    15.12    23.79    10.63    19.50  
Fナンバー      2.88     4.52     6.17     3.69     5.35  
画角          29.42    14.38     9.25    18.22    11.24  
像高           3.40     3.88     3.88     3.50     3.88  
レンズ全長    33.43    31.12    36.88    29.95    33.70  
BF             5.46     6.52     7.58     5.99     7.05  
d 4           13.70     3.04     0.44     6.04     1.44  
d11            4.93    12.22    19.51     8.57    15.86  
d13            4.30     5.36     6.42     4.83     5.89  
ズームレンズ群データ
群  始面    焦点距離  
1    1     -12.32  
2    5       9.88  
3   12      48.75  
4   14       ∞    
【００３２】
数値実施例４
単位 mm
面データ
面番号       r        d      nd         νd
1*        25.057    1.25   1.84954    40.1           
2*         4.772    1.63                             
3          7.282    1.90   1.92286    18.9           
4         11.104  (可変)                             
5(絞り)    ∞      -0.50                             
6*         4.009    1.70   1.84954    40.1           
7         15.418    0.50   1.80809    22.8           
8          3.345    0.68                             
9          9.832    1.05   1.77250    49.6           
10        -25.356    0.15                             
11          ∞     (可変)                             
12         40.803    1.40   1.60311    60.6           
13        -23.082  (可変)                             
14          ∞       1.00   1.51633    64.1           
15          ∞       0.50                             
像面        ∞   
非球面データ
第1面
K =-1.00455e+002  A 4=-2.87034e-004  A 6= 1.09221e-005  A 8=-1.09330e-007  A10= 2.18836e-010  
第2面
K =-2.90456e+000  A 4= 1.50884e-003  A 6=-1.55942e-005  A 8= 7.48056e-007  A10= 3.24702e-009  
第6面
K =-8.99595e-001  A 4= 1.17592e-003  A 6= 1.59749e-005  A 8= 4.25349e-006  A10=-2.13506e-007  
各種データ
ズーム比      3.83 
焦点距離       5.14    12.42    19.70     8.79    16.06  
Fナンバー      2.87     4.45     6.10     3.67     5.25  
画角          33.29    17.32    11.13    23.79    13.56  
像高           3.37     3.88     3.88     3.88     3.88  
レンズ全長    32.09    29.83    34.57    29.07    31.90  
BF             4.80     4.51     4.55     4.50     4.52  
d 4           13.14     3.47     0.88     6.37     1.88  
d11            4.38    12.09    19.38     8.45    15.74  
d13            3.64     3.35     3.39     3.34     3.36  
ズームレンズ群データ
群  始面    焦点距離  
1    1     -11.57  
2    5       9.35  
3   12      24.65  
4   14       ∞    
【００３３】
【表１】
0005522988.tif 000002
【符号の説明】
【００３４】
Ｌ１は第１レンズ群、Ｌ２は第２レンズ群、Ｌ３は第３レンズ群
【図２】
0005522988.tif 000003
【図３】
0005522988.tif 000004
【図４】
0005522988.tif 000005
【図６】
0005522988.tif 000006
【図１】
0005522988.tif 000007
【図５】
0005522988.tif 000008
【図７】
0005522988.tif 000009
【図８】
0005522988.tif 000010
【図９】
0005522988.tif 000011